(57)【要約】【課題】調整画素、非調整画素の区別を提供して、用意に任意の調整色の選択、調整範囲の調整、さらにはその範囲での彩度、色相調整を可能とし、使用者の利便性を高めることが可能な画像表示装置を提供する。【解決手段】複数の色系統から任意の色系統を選択的に指定可能な色指定部１７１１と、指定された色系統範囲からさらに表示すべき色の軸となる位置を指定可能な色位置指示部１７１２と、選択した色系統の範囲を指定可能な範囲指定部１７１３と、選択した色系統の彩度の度合いを指定可能な彩度指定部１７１４と、選択した色系統の色相の度合いを指定可能な色相指定部１７１５と、色系統毎に所定の範囲にわたって円グラフ状に表示可能なパレット１７１６とを含むＲＣＰ表示画面１７１を使えるユーザインタフェース部１７を有する。【選択図】      図５
2006048450.tif 000002
【特許請求の範囲】
【請求項１】
指示に従った画像を生成する画像生成部と、
上記画像生成部で生成された画像をカラー表示可能な表示部と、
複数の色から任意の色を選択的に指定可能な色指定部と、上記色指定部により指定された色の少なくとも属性の調整度を指示可能な調整度指定部と、を含むユーザインタフェースと、
少なくとも上記ユーザインタフェースの色指定部により指定された色を表示可能な画像を生成するように上記画像生成部に指示する制御部と
を有する画像表示装置。
【請求項２】
上記制御部は、上記ユーザインタフェースの上記調整度指定部により属性の指示を受けると、上記色指定部により指示された色を、上記調整度指定部により指示された調整度をもって表示可能な画像を生成するように上記画像生成部に指示する
請求項１記載の画像表示装置。
【請求項３】
上記ユーザインタフェースの上記色指定部は、色系統毎に指示可能であり、
上記制御部は、上記色系統毎に所定の範囲にわたって表示可能であるパレットを含む画像を生成するように上記画像生成部に指示する
請求項１記載の画像表示装置。
【請求項４】
上記制御部は、上記ユーザインタフェースの上記色指定部で指定された色系統のみを上記パレットにカラー表示するように上記画像生成部に指示する
請求項３記載の画像表示装置。
【請求項５】
上記ユーザインタフェースは、上記指定された色系統範囲からさらに表示すべき色の軸となる位置を指定可能な色位置指示部を含み、
上記制御部は、色位置指示部により指定された上記色指定部および色位置指示部により指示された色系統の色位置の色を表示するように上記画像生成部に指示する
請求項４記載の画像表示装置。
【請求項６】
上記ユーザインタフェースの調整度指定部は、
色の範囲を指定可能な範囲指定領域と、
彩度の度合いを指定可能な彩度指定領域と、
色相の度合いを指定可能な色相指定領域と、を含む
請求項１記載の画像表示装置。
【請求項７】
上記ユーザインタフェースの調整度指定部は、
色の範囲を指定可能な範囲指定領域と、
彩度の度合いを指定可能な彩度指定領域と、
色相の度合いを指定可能な色相指定領域と、を含む
請求項５記載の画像表示装置。
【請求項８】
上記制御部は、上記色指定部により指定された色以外の領域の画像はモノトーン表示するように上記画像生成部に指示する
請求項１記載の画像表示装置。
【請求項９】
上記制御部は、上記色指定部により指定された色以外の領域の画像はモノトーン表示するように上記画像生成部に指示する
請求項２記載の画像表示装置。
【請求項１０】
上記制御部は、上記調整度指定部が選択されると、上記色指定部により指定された色以外の色も表示するように上記画像生成部に指示する
請求項１記載の画像表示装置。
【請求項１１】
上記制御部は、上記調整度指定部が選択されると、上記色指定部により指定された色以外の色も表示するように上記画像生成部に指示する
請求項２記載の画像表示装置。
【請求項１２】
上記制御部は、上記調整度指定部が選択されると、上記色指定部により指定された色以外の色も表示するように上記画像生成部に指示する
請求項８記載の画像表示装置。
【請求項１３】
上記ユーザインタフェースは調整度指定部は、
色の範囲を指定可能な範囲指定領域と、
彩度の度合いを指定可能な彩度指定領域と、
色相の度合いを指定可能な色相指定領域と、を含み、
上記制御部は、上記調整度指定部の３つの領域のうち、彩度指定領域または色相指定領域が選択されると、上記色指定部により指定された色以外の色も表示するように上記画像生成部に指示する
請求項１０記載の画像表示装置。
【請求項１４】
指示に従った画像を生成する画像生成部と、
上記画像生成部で生成された画像をカラー表示可能な表示部と、
上記表示部に表示すべき色に関する表示形態を指定可能なグラフィカル・ユーザインタフェースと、
少なくとも上記グラフィカル・ユーザインタフェースの色指定部により指定された色を表示可能で、かつ、上記グラフィカル・ユーザインタフェースのグラフィカル指示領域を付加して上記画像を生成するように上記画像生成部に指示する制御部と、を有し、
上記グラフィカル・ユーザインタフェースは、
複数の色系統から任意の色系統を選択的に指定可能な色指定部と、
上記指定された色系統範囲からさらに表示すべき色の軸となる位置を指定可能な色位置指示部と、
色の範囲を指定可能な範囲指定部と、
彩度の度合いを指定可能な彩度指定部と、
色相の度合いを指定可能な色相指定部と、
上記色系統毎に所定の範囲にわたって表示可能なパレットと、を含む
画像表示装置。
【請求項１５】
上記制御部は、上記グラフィカル・ユーザインタフェースの上記色位置指示部、範囲指定部、彩度指定部、および／または色相指定部の指示を受けると、上記色指定部により指示された色を、指定された色位置および／または範囲内において、指定された彩度、および／または色相をもって表示するように上記画像生成部に指示する
請求項１４記載の画像表示装置。
【請求項１６】
上記制御部は、上記ユーザインタフェースの上記色指定部で指定された色系統のみを上記パレットにカラー表示するように上記画像生成部に指示する
請求項１４記載の画像表示装置。
【請求項１７】
上記制御部は、上記色指定部により指定された色以外の領域の画像はモノトーン表示するように上記画像生成部に指示する
請求項１４記載の画像表示装置。
【請求項１８】
上記制御部は、上記彩度指定部および色相指定部が選択されると、上記色指定部により指定された色以外の色も表示するように上記画像生成部に指示する
請求項１４記載の画像表示装置。
【発明の詳細な説明】
【技術分野】
【０００１】
本発明は、たとえばグラフィカル・ユーザインタフェース（ＧＵＩ）を有する画像表示装置に係り、特に、画像の色調整機能を備えた画像表示装置に関するものである。
【背景技術】
【０００２】
画像表示装置では、より好ましい画質を表示するために、使用者が調整、つまり画像処理することがある。
具体的には、画像表示装置には、色変換、ガンマ調整、鮮鋭度調整などのいくつかの調整機能がある（たとえば特許文献１参照）。
従来の画像表示装置の調整では、調整された結果だけを表示しており、どの画素が入力画像に対して変わったか、区別できる機能は有していない。
【０００３】
また、放送局向けの画像処理装置では、画像表示装置を外部から制御したり、画像表示装置の入力部分にとりつけて、画像処理を行う機器があり、調整画素を外部端末上で区別できるものがある。
【特許文献１】特開２０００−１０１５３３号公報
【発明の開示】
【発明が解決しようとする課題】
【０００４】
ところが、従来の画像表示装置の調整では、調整された結果だけを表示しており、どの画素が入力画像に対して変わったか、区別できる機能はなく、画像表示装置単体で調整画素を区別できるものはなかった。
【０００５】
画像表示装置の使用者は、画像処理した映像部分と画像処理しない映像部分を見比べたい場合がある。従来の画像表示装置の外部にある調整装置では、画像処理する映像部分、画像処理しない映像部分を外部の機器を使って指示（入力）する必要があった。
その場合、画像表示装置の表示される処理結果を見ながら、指示（入力情報）を手直しする必要があった。
【０００６】
そして、上述したように、画像表示装置には、色変換、ガンマ調整、鮮鋭度調整などのいくつかの調整機能がある。使用者は、それぞれの調整機能により変化した画素をそれぞれ知りたいという欲求がある。
【０００７】
また、これまでの色調整では、主にホワイトバランス調整を用いて調整を行っていた。ホワイトバランス調整は、ＲＧＢ三原色のバランスの調整であるが故に、たとえば空を青く、芝生を緑に、肌色を赤くするといった調整を行うと、その色だけに着目すれば、好みの色に調整は可能である。
しかしながら、本来  変化してほしくない色まで調整の影響を受けてしまい、全体の色のバランスが崩れてしまう。
また、調整の色や範囲を特定できないため、どの部分の色が変化するのかが映像を見ながら調整していても、実際に影響範囲が視覚的に分かり難い。好みの色を再現するのには実際に熟練度（スキル）が必要となり、スキル向上にも限度がある。
【０００８】
本発明は、かかる事情に鑑みてなされたものであり、その目的は、外部機器を使うことなく、画像表示装置の使用者に画像表示装置単独での、調整画素、非調整画素の区別を提供して、用意に任意の調整色の選択、調整範囲の調整、さらにはその範囲での彩度、色相調整を可能とし、使用者の利便性を高めることが可能な画像表示装置を提供することにある。
【課題を解決するための手段】
【０００９】
上記目的を達成するため、本発明の第１の観点の画像表示装置は、指示に従った画像を生成する画像生成部と、上記画像生成部で生成された画像をカラー表示可能な表示部と、複数の色から任意の色を選択的に指定可能な色指定部と、上記色指定部により指定された色の少なくとも属性の調整度を指示可能な調整度指定部と、を含むユーザインタフェースと、少なくとも上記ユーザインタフェースの色指定部により指定された色を表示可能な画像を生成するように上記画像生成部に指示する制御部とを有する。
【００１０】
好適には、上記制御部は、上記ユーザインタフェースの上記調整度指定部により属性の指示を受けると、上記色指定部により指示された色を、上記調整度指定部により指示された調整度をもって表示可能な画像を生成するように上記画像生成部に指示する。
【００１１】
好適には、上記ユーザインタフェースの上記色指定部は、色系統毎に指示可能であり、上記制御部は、上記色系統毎に所定の範囲にわたって表示可能であるパレットを含む画像を生成するように上記画像生成部に指示する。
【００１２】
好適には、上記制御部は、上記ユーザインタフェースの上記色指定部で指定された色系統のみを上記パレットにカラー表示するように上記画像生成部に指示する。
【００１３】
好適には、上記ユーザインタフェースは、上記指定された色系統範囲からさらに表示すべき色の軸となる位置を指定可能な色位置指示部を含み、上記制御部は、色位置指示部により指定された上記色指定部および色位置指示部により指示された色系統の色位置の色を表示するように上記画像生成部に指示する。
【００１４】
好適には、上記ユーザインタフェースの調整度指定部は、色の範囲を指定可能な範囲指定領域と、彩度の度合いを指定可能な彩度指定領域と、色相の度合いを指定可能な色相指定領域と、を含む。
【００１５】
好適には、上記制御部は、上記色指定部により指定された色以外の領域の画像はモノトーン表示するように上記画像生成部に指示する。
【００１６】
好適には、上記制御部は、上記調整度指定部が選択されると、上記色指定部により指定された色以外の色も表示するように上記画像生成部に指示する。
【００１７】
好適には、上記ユーザインタフェースは調整度指定部は、色の範囲を指定可能な範囲指定領域と、彩度の度合いを指定可能な彩度指定領域と、色相の度合いを指定可能な色相指定領域と、を含み、上記制御部は、上記調整度指定部の３つの領域のうち、彩度指定領域または色相指定領域が選択されると、上記色指定部により指定された色以外の色も表示するように上記画像生成部に指示する。
【００１８】
好適には、指示に従った画像を生成する画像生成部と、上記画像生成部で生成された画像をカラー表示可能な表示部と、上記表示部に表示すべき色に関する表示形態を指定可能なグラフィカル・ユーザインタフェースと、少なくとも上記グラフィカル・ユーザインタフェースの色指定部により指定された色を表示可能で、かつ、上記グラフィカル・ユーザインタフェースのグラフィカル指示領域を付加して上記画像を生成するように上記画像生成部に指示する制御部と、を有し、上記グラフィカル・ユーザインタフェースは、複数の色系統から任意の色系統を選択的に指定可能な色指定部と、上記指定された色系統範囲からさらに表示すべき色の軸となる位置を指定可能な色位置指示部と、色の範囲を指定可能な範囲指定部と、彩度の度合いを指定可能な彩度指定部と、色相の度合いを指定可能な色相指定部と、上記色系統毎に所定の範囲にわたって表示可能なパレットと、を含む。
【００１９】
好適には、上記制御部は、上記グラフィカル・ユーザインタフェースの上記色位置指示部、範囲指定部、彩度指定部、および／または色相指定部の指示を受けると、上記色指定部により指示された色を、指定された色位置および／または範囲内において、指定された彩度、および／または色相をもって表示するように上記画像生成部に指示する。
【００２０】
好適には、上記制御部は、上記ユーザインタフェースの上記色指定部で指定された色系統のみを上記パレットにカラー表示するように上記画像生成部に指示する。
【００２１】
本発明によれば、たとえば、映し出される画像をフリーズ（一時停止）させた状態で、映像の中で調整可能なエリアだけ色を残し、調整不必要な色はモノトーン表示させ、同時にたとえば色空間パレットに調整有効な色を表示させる。
すなわち、実映像または色空間パレットを参照しながら、調整可能な範囲を容易に識別し、調整色／調整範囲を容易に選択／調整する。
調整色／調整範囲を選択／調整後、たとえば調整不必要なエリアのモノトーン表示を解除し、全体の色のバランスを見ながら、前途で指定したエリアだけの彩度／色相の調整を行う。このとき調整可能エリア外は、彩度／色相の調整の影響を全く受けない。
【発明の効果】
【００２２】
本発明によれば、調整無効な色に関してはたとえばモノトーンで表示させることによって、容易に調整するエリア（色）の特定が可能である。また、表示画面上の色空間パレットにおいても、調整有効色だけが残るので、ビジュアル的に容易に調整エリアの選択／調整が可能である。
また、特定色、彩度／色相調整では、調整したい色だけを抽出し、その他の色には影響を及ぼさずに調整が可能である。
ユーザーが様々な映画などの映像ソースを視聴する際、映像ソースによっては色が薄いものや濃いものがある。特に映像ソースによっては、人の肌、空、海、芝生などの特定の色が不自然なものが存在する。これらの特定色だけの色調整が可能である。
【発明を実施するための最良の形態】
【００２３】
以下、本発明の実施形態を図面に関連付けて説明する。
【００２４】
図１は、本発明に係る画像表示装置の全体構成を示す図である。
本発明においては、画像の色調整機能を備えた画像表示装置１０のみが全体図となる。画像表示装置は、図１でフラットパネルディスプレイを用いたが、ＣＲＴタイプ、投射タイプなどを含めている。画像調整は、本体で行う場合もあるし、リモートコマンダで行う場合もあるが、リモートコマンダは省略している。
【００２５】
本実施形態の画像表示装置１０は、ＧＵＩを有し、表示画面上の画像（映像）、あるいは、ＯＳＤ上の色空間パレットを参照し、用意に任意の調整色を選択し、かつ調整範囲を微調整し、さらにはその範囲内での彩度（Ｓａｔｕｒａｔｉｏｎ）、色相（Ｈｕｅ）の調整が可能なように構成される。
この構成により、画質調整で成し得なかった特定色のみの色調整が容易に実現可能となっている。
【００２６】
図２は、本発明に係る画像表示装置の一実施形態を示すブロック構成図である。
【００２７】
本画像表示装置１０は、図２に示すように、入力信号処理部１１、スケラ１２、調整部１３、画像表示駆動部１４、画像（映像）表示部１５、制御部（ＣＰＵ）１６、およびユーザインタフェース部１７を有している。
【００２８】
入力信号処理部１１は、色々な入力信号ＳＩＮをスケラ１２に適合した信号形態（たとえばＲＧＢ信号）に変換する。
入力信号ＳＩＮは、ＤＶＤプレーヤ等により再生された映像信号に基づく、チューナー信号、コンポジットビデオ信号、ＲＧＢ信号、色差信号などである。
【００２９】
スケラ１２は、入力信号処理部１１による信号Ｓ１１を受けて画素変換を行い、信号Ｓ１２として調整部１３に出力する。
【００３０】
調整部１３は、色変換、ガンマ調整、シャープネス調整などの調整（画像処理）を行う。
この調整部１３の具体的な構成については、後で詳細に説明する。
【００３１】
画像表示駆動部１４は、画像表示部１５に必要な信号を用意したり、画像表示部１５のばらつきを吸収したり、色温度（Ｃｏｌｏｔ  Ｔｅｍｐｅｒａｔｕｒｅ）を調整したりする。
画像表示部１５のデバイスに応じて、画像表示駆動部１４の構成は変わってくる。
【００３２】
制御部であるＣＰＵ１６は、使用者（ユーザ）の指示を、ユーザインタフェース部１７を通して伝達されて、画像表示装置１０の内部に対して必要に応じた制御を行う。
【００３３】
ユーザインタフェース部１７は、使用者（ユーザ）の指示をＣＰＵ１６に伝達する。
【００３４】
図２の画像表示装置１０においては、外部からの入力信号ＳＩＮは、入力信号処理部１１に入力される。
映像信号は、入力信号処理部１１、スケラ１２、調整部１３、画像表示部駆動部１４、画像表示部１５の順番に伝達されて、画像表示部１５に表示される。
【００３５】
次に、調整部１３の具体的な構成について、図３に関連に付けて説明する。
【００３６】
図３は、本実施形態に係る調整部の構成例を示すブロック図である。
【００３７】
調整部１３は、図３に示すように、画像処理部１３１、入力信号遅延部１３２、出力画像生成部１３３、調整制御部１３４、被調整画素認識部１３５、調整領域制御部１３６、および調整画素表示方法制御部１３７を有する。
【００３８】
スケラ１２の出力信号Ｓ１２は、調整部１３の入力信号となる。
入力信号Ｓ１２は、画像処理部１３１、および入力信号遅延部１３２に入力される。
【００３９】
画像処理部１３１は、画像処理（調整）を行うブロックである。
画像処理部１３１は、色を変更するなどの調整を行い、被調整信号Ｓ１３１として、出力画像生成部１３３および被調整画素認識部１３５に出力する。
【００４０】
入力信号遅延部１３２は、入力信号Ｓ１２に対して画像処理部１３１の処理にかかる時間と同じ遅延を与えて、画像処理（調整）しない信号を保持するブロックである。
入力信号遅延部１３２は、遅延させた入力信号を、遅延入力信号Ｓ１３２として、出力画像生成部１３３および被調整画素認識部１３５に出力する。
【００４１】
出力画像生成部１３３は、被調整画素認識部１３５、調整領域制御部１３６、および調整画素表示方法制御部１３７の制御の下、画像処理部１３１による被調整信号Ｓ１３１または入力信号遅延部１３２による遅延入力信号Ｓ１３２に基づいて、最終的な出力信号を生成し、出力信号Ｓ１３３として、画像表示駆動部１４に伝達する。
出力画像生成部１３３は、被調整画素認識部１３５、調整領域制御部１３６、および調整画素表示方法制御部１３７の指示に従い、入力遅延信号Ｓ１３２、または、被調整信号Ｓ１３１、または、指示に従って、画像処理を加えて最終出力信号を生成し、出力信号Ｓ１３３を後段に送る。
【００４２】
調整制御部１３４は、ＣＰＵ１６からの制御信号Ｓ１６の指示に従って、画像処理部１３１で行う調整量を制御する。
調整制御部１３４は、たとえば指定された色の調整であれば、彩度（飽和度；Ｓａｔｕｒａｔｉｏｎ）を高めたり、色相（Ｈｕｅ）を調整する。
色の指定は、後述するように、ユーザインタフェース部１７を通してユーザの指示を受けたＣＰＵ１６により通知される。
本実施形態においては、色の調整は、たとえば６つの色系統、具体的には、赤系統、橙色系統、黄系統、緑系統、青系統、紫系統に分けて指定される。
各色系統は、所定の範囲をもって指定され、さらに指定、選択された色系統の範囲から、さらに表示すべき色の軸となる位置を指定される。
また、調整対象の色の彩度、色相の調整度合いは、後述するように、ユーザインタフェース部１７を通してユーザの指示を受けたＣＰＵ１６により通知され、通知された度合いに従って調整される。
【００４３】
被調整画素認識部１３５は、入力遅延信号Ｓ１３２と被調整信号Ｓ１３１の値を比較して、画素毎に被調整が実際にあったか否かの判定を行う。
被調整画素認識部１３５は、判定により、被調整画素であるか、非調整画素であるかを出力画像生成部１３３に伝達する。
【００４４】
調整領域制御部１３６は、画像表示部１５に、ユーザインタフェース部１７を通してユーザの指示を受けたＣＰＵ１６により通知された色を表示可能で、かつ、ＧＵＩのグラフィカル指示領域（ＯＳＤ）を付加して画像を生成するよう出力画像生成部１３３の出力画像の生成処理を制御する。
また、調整領域制御部１３６は、ＣＰＵ１６の制御の下、指定された色以外の領域の画像はモノトーン表示するように出力画像生成部１２３に指示する。
また、調整領域制御部１３６は、ＣＰＵ１６の制御の下、指定された色以外の色も表示するように出力画像生成部１３３に指示する。
【００４５】
調整画素表示方法制御部１３７は、被調整画素、非調整画素の区別方法を、ＣＰＵ１６からの制御信号Ｓ１６の指示に従い、出力画像生成部１３３に指示する。
【００４６】
前述したように、本実施形態の画像表示装置１０は、ユーザインタフェースとしてＧＵＩ機能を有し、表示画面上の画像（映像）、あるいは、ＯＳＤ上の色空間パレットを参照し、用意に任意の調整色を選択し、かつ調整範囲を微調整し、さらにはその範囲内での彩度（Ｓａｔｕｒａｔｉｏｎ）、色相（Ｈｕｅ）の調整が可能なように構成される。
この構成により、画質調整で成し得なかった特定色のみの色調整が容易に実現可能となっている。
以下、ＧＵＩ機能を有するユーザインタフェース部１７について説明する。
【００４７】
ユーザインタフェース部１７は、図４に示すように、出力画像生成部１３３で生成された画像（映像）をカラー表示可能な画像表示部１５に表示すべき色に関する表示形態を指定可能なＧＵＩ機能に含まれるＲＣＰ（Ｒｅａｌ  Ｃｏｌｏｒ  Ｐｒｏｃｅｓｓｉｎｇ）表示画面１７１を有する。
このＲＣＰ表示画面１７１は、たとえば表示画像の一部に重ねて画像表示部１５に表示される。
【００４８】
ＲＣＰ表示画面１７１は、図４に示すように、複数（本実施形態では６系統）の色系統から任意の色系統を選択的に指定可能な色指定部１７１１と、指定された色系統範囲からさらに表示すべき色の軸となる位置を指定可能な色位置指示部１７１２と、選択した色系統の範囲を指定可能な範囲指定部１７１３と、選択した色系統の彩度の度合いを指定可能な彩度指定部１７１４と、選択した色系統の色相の度合いを指定可能な色相指定部１７１５と、色系統毎に所定の範囲にわたって円グラフ状に表示可能なパレット１７１６と、を含む。
ＲＣＰ表示画面１７１には、さらには、各指定部を選択するためのカーソルや入力確定のためのキー等が配列された選択入力部１７１７を有する。
ＲＣＰ表示画面１７１に対する指定部の選択や入力確定処理等は、たとえば図示しないリモートコマンダに用いてユーザにより行われる。
【００４９】
パレット１７１６は、色指定部１７１１、色位置指示部１７１２、範囲指定部１７１２が選択されているときは、図５に示すように、色指定部１７１１で指定された色系統のみをカラー表示するように、ＣＰＵ１６の制御の下、出力画像生成部１２３で生成される。
パレット１７１６は、彩度指定部１７１４および色相指定部１７１５が選択されているときは、図４に示すように、色指定部１７１１で指定された色系統以外の色系統をもカラー表示（全色系統を表示）するように、ＣＰＵ１６の制御の下、出力画像生成部１２３で生成される。
【００５０】
本実施形態においては、上述したように、パレット１７１６は、６つの色系統、具体的には、図６に示すように、赤系統（Ｒ）、橙色系統（Ｍ）、黄系統（Ｙ）、緑系統（Ｇ）、青系統（Ｂ）、紫系統（Ｃ）に分けて表示される。
基本的には、パンフレット１７１６は、６つの色系統の表示を６０度ずつの範囲に区切って表示するが、これは任意に変更可能である。
また、パレット１７１６は、色位置指示部１７１２によりた色系統範囲からさらに表示すべき色の軸となる位置が指定されると、たとえば図６中に破線で示すように、色の軸ＣＡＸが指定操作に応じて移動（回転）する。
【００５１】
このようなＧＵＩ機能を有するユーザインタフェース部１７により指定された色系統、色の軸、範囲、彩度、色相の関する情報は、ＣＰＵ１６に供給される。
ＣＰＵ１６は、色指定部１７１１により指定された色を表示可能で、かつ、グラフィカル指示領域としてのＲＣＰ表示画面１７１を付加して画像を生成するように出力画像生成部１２３を含む調整部１３に指示する。
ＣＰＵ１６は、ＲＣＰ表示画面１７１の色位置指示部１７１２、範囲指定部１７１３、彩度指定部１７１４、および／または色相指定部１７１５の指示を受けると、色指定部１７１１により指示された色を、指定された色位置および／または範囲内において、指定された彩度、および／または色相をもって表示するように出力画像生成部１３３を含む調整部１３に指示する。
ＣＰＵ１６は、色指定部１７１１、色位置指示部１７１２、範囲指定部１７１２が選択されているときは、色指定部１７１１で指定された色系統のみを表示すべき画像およびパレット１７１６にカラー表示するように、出力画像生成部１３３を含む調整部１３に指示する。
ＣＰＵ１６は、彩度指定部１７１４および色相指定部１７１５が選択されているときは、色指定部１７１１で指定された色系統以外の色系統をも表示すべき画像およびれっと１７１６にカラー表示（全色系統を表示）するように、ＣＰＵ１６の制御の下、出力画像生成部１３３で生成される。
【００５２】
以下に、ユーザインタフェースを例としての動作例を図７〜図１０に関連付けて説明する。
【００５３】
画像表示部１５に、入力映像（DVD プレーヤ等からの信号など）に基づく画像が表示される。そして、たとえば図７に示すように、調整を所望する画像でフリーズ（一時停止）させる。
そして、図示しないリモートコマンダにより調整モードが指定されると、図８に示すように、フリーズ画面にＲＣＰ表示画面１７１が表示される。
【００５４】
この調整画面上において、まず、図９に示すように、ユーザにより図示しないリモートコマンダを用いて、ＲＣＰ表示画面１７１の色指定部１７１１が指定され、色（系統）選択が行われる。図９の例では赤系統を選択している。
この色選択をする際には、画像とＯＳＤ上の色空間パレット１７１６に調整有効色の色（図９の例では赤系統）だけが残り、その他はモノクロ表示される。それを参考に画像を見ながら調整する色を選択する。
調整色選択後、さらにその選択した色で、色の残る範囲を見ながら。図１０に示すように、色位置指示部１７１２、さらには範囲指定部１７１２を選択して調整エリア（色）の微調整を行う。
【００５５】
調整エリアの調整終了後、その範囲内で彩度指定部１７１４、色相指定部１７１５を選択して、彩度・色相を全体の色のバランスを見ながら好みの色になるように調整する。
この調整色／調整範囲を選択／調整後、調整不可能なエリアのモノトーン表示を解除し、全体の色のバランスを見ながら、前途で指定したエリアだけの彩度／色相の調整が可能である。このとき調整可能エリア外は、彩度／色相の調整の影響を全く受けない。
【００５６】
なお、本実施形態においては、調整可能な色は６つであり、この６つの色に対して、それぞれ調整範囲／彩度色相の調整が独立して調整が可能である。
【００５７】
次に、図２および図３の回路の動作については説明する。
【００５８】
たとえばユーザインタフェース部１７が、図４に示すような使用者の指示をＣＰＵ（制御部）１６に伝達する。
制御部であるＣＰＵ１６は、使用者の指示を、ユーザインタフェース部１７を通して伝達されて、画像表示装置１０の内部に必要に応じて制御を行う。
そして、外部からの入力信号ＳＩＮは、入力信号処理部１１に入力される。
映像信号は、入力信号処理部１１、スケラ１２、調整部１３、画像表示部駆動部１４、画像表示部１５の順番に伝達されて、画像表示部１５に表示される。
【００５９】
調整部１３においては、たとえばスケラ１２による信号Ｓ１２が画像処理部１３１および入力信号遅延部１３２に入力される。
また、調整制御部１３４においては、画像処理部１３１で行う調整量を制御するように、ＣＰＵ１６からの制御信号Ｓ１６により指示される。
調整制御部１３４は、ＣＰＵ１６の制御の下、たとえば指定された色の調整であれば、彩度（飽和度；Ｓａｔｕｒａｔｉｏｎ）を高めたり、色相（Ｈｕｅ）を調整する。
被調整画素認識部１３５においては、入力遅延信号Ｓ１３２と被調整信号Ｓ１３１の値を比較して、画素毎に被調整が実際にあったのかの判定を行うように、ＣＰＵ１６からの制御信号Ｓ１６により指示される。
【００６０】
調整領域制御部１３６においては、ＣＰＵ１６の制御の下、画像表示部１５に、ユーザインタフェース部１７を通してユーザの指示を受けたＣＰＵ１６により通知された色を表示可能で、かつ、ＧＵＩのグラフィカル指示領域（ＯＳＤ）を付加して画像を生成するよう出力画像生成部１３３の出力画像の生成処理を行う。
調整領域制御部１３６は、ＣＰＵ１６の制御の下、指定された色以外の領域の画像はモノトーン表示するように出力画像生成部１３３に指示する。
調整領域制御部１３６は、ＣＰＵ１６の制御の下、指定された色以外の色も表示するように出力画像生成部１３３に指示する。
【００６１】
そして、調整部１３においては、画像処理部１３１において、たとえば色を変更するなどの調整が行われ、その結果が、被調整信号Ｓ１３１として、出力画像生成部１３３および被調整画素認識部１３５に出力される。
また、入力信号遅延部１３２において、入力信号Ｓ１２に対して画像処理部１３１の処理にかかる時間と同じ遅延が付与されて遅延入力信号Ｓ１３２として、出力画像生成部１３３および被調整画素認識部１３５に出力される。
被調整画素認識部１３５においては、入力遅延信号Ｓ１３２と被調整信号Ｓ１３１の値を比較して、画素毎に被調整が実際にあったのかの判定が行われる。
そして、出力画像生成部１３３では、被調整画素認識部１３５、調整領域制御部１３６、および調整画素表示方法制御部１３７の指示に従い、入力遅延信号Ｓ１３２、または、被調整信号Ｓ１３１、または、指示に従って、画像処理を加えて最終出力信号が生成されて、出力信号Ｓ１３３が画像表示駆動部１４に出力される。
ＣＰＵ１６の制御の下、画像表示装置駆動部１４においては、画像表示部１５に必要な信号を用意したり、画像表示部１５のばらつきを吸収したり、色温度を調整したりする処理が行われる画像表示部１５に所望の映像が表示される。
【００６２】
以上説明したように、本実施形態によれば、複数（本実施形態では６系統）の色系統から任意の色系統を選択的に指定可能な色指定部１７１１と、指定された色系統範囲からさらに表示すべき色の軸となる位置を指定可能な色位置指示部１７１２と、選択した色系統の範囲を指定可能な範囲指定部１７１３と、選択した色系統の彩度の度合いを指定可能な彩度指定部１７１４と、選択した色系統の色相の度合いを指定可能な色相指定部１７１５と、色系統毎に所定の範囲にわたって円グラフ状に表示可能なパレット１７１６と、を含むＲＣＰ表示画面１７１を有することから、以下の効果を得ることができる。
【００６３】
映し出される画像をフリーズ（一時停止）させた状態で、映像の中で調整可能なエリアだけ色を残し、調整不必要な色はモノトーン表示させ、同時にＯＳＤ上の色空間パレットに調整有効な色を表示させることができる。
これにより、実映像または色空間パレットを参照しながら、調整可能な範囲が容易に識別可能で、調整色／調整範囲を容易に選択／調整が可能である。
調整色／調整範囲を選択／調整後、調整不可能なエリアのモノトーン表示を解除し、全体の色のバランスを見ながら、前途で指定したエリアだけの彩度／色相の調整が可能である。このとき調整可能エリア外は、彩度／色相の調整の影響を全く受けない。
調整可能な複数色に対して、それぞれ調整範囲／彩度色相の調整が独立して調整が可能である。
【００６４】
より具体的には、色の調整は、どの範囲に影響を及ぼすのかが非常に分かり難い。実際に調整有効なエリアだけ色を残し、調整無効な色に関してはモノトーンで表示させることによって、容易に調整するエリア（色）の特定が可能である。また、ＯＳＤ上の色空間パレットにおいても、調整有効色だけが残るので、ビジュアル的に容易に調整エリアの選択／調整が可能である。
好みの色を再現するためには、これまで彩度/色相/色温度/ホワイトバランス等の調整を用いる方法では、特定の色だけを抽出して調整をすることが出来ないため、調整後、全体の色のバランスが崩れてしまうが、本実施形態においては、特定色、彩度／色相調整では、調整したい色だけを抽出し、その他の色には影響を及ぼさずに調整が可能である。
ユーザーが様々な映画などの映像ソースを視聴する際、映像ソースによっては色が薄いものや濃いものがある。特に映像ソースによっては、人の肌、空、海、芝生などの特定の色が不自然なものが存在する。これらの特定色だけの色調整が可能である。
【図面の簡単な説明】
【００６５】
【図１】本発明に係る画像処理装置の全体構成を示す図である。
【図２】本発明に係る画像処理装置を含む映像表示装置の一実施形態を示すブロック構成図である。
【図３】本実施形態に係る調整部の構成例を示すブロック図である。
【図４】本実施形態に係るユーザインタフェースのＲＣＰ表示画面の構成例を示す図である。
【図５】本実施形態に係るユーザインタフェースのＲＣＰ表示画面のパレットにおける選択した色系統の表示方法について説明するための図である。
【図６】本実施形態に係るユーザインタフェースのＲＣＰ表示画面のパレットにおける色系統の表示方法について説明するための図である。
【図７】画像表示部への表示画像例を示す図である。
【図８】図７の表示画像にＲＣＰ表示画面を表示させる例を示す図である。
【図９】ＲＣＰ表示画面で赤系統を選択した場合の表示画像例を示す図である。
【図１０】ＲＣＰ表示画面で赤系統を選択した場合であって、色位置指定部を選択した表示画像例を示す図である。
【符号の説明】
【００６６】
１０…映像表示装置、１１…入力信号処理部、１２…スケラ、１３…調整部、１４…映像表示駆動部、１５…映像表示部、１６…制御部（ＣＰＵ）、１７…ユーザインタフェース部、１３１…入力信号処理部、１３２…画像処理部、１３３…入力信号遅延部、１３３…出力画像生成部、１３５…調整制御部、１３６…被調整画素認識部、１３７…調整領域制御部、１３８…調整画素表示方法制御部、１７１…ＲＣＰ表示画面、１７１１…色指定部、１７１２…色位置指示部、１７１３…範囲指定部、１７１４…彩度指定部、１７１５…色相指定部、１７１６…パレット。
【図１】
2006048450.tif 000003
【図２】
2006048450.tif 000004
【図３】
2006048450.tif 000005
【図４】
2006048450.tif 000006
【図５】
2006048450.tif 000007
【図６】
2006048450.tif 000008
【図７】
2006048450.tif 000009
【図８】
2006048450.tif 000010
【図９】
2006048450.tif 000011
【図１０】
2006048450.tif 000012